(57)【要約】【課題】株式売買に役立つであろう知恵の習得に効果的なボードゲーム具を提供することである。【解決手段】売値情報および買値情報が表示されたボードと、株券情報が表示された株券カードと、売り情報が表示された売カードと、買い情報が表示された買カードと、ゲーム終了時の目標情報が表示されたミッションカードと、株価変動情報が表示された株価変動カードと、金額情報が表示された札カードとを有するボードゲーム具。【選択図】図１８
2008259572.tif 000002
【特許請求の範囲】
【請求項１】
売値情報および買値情報が表示されたボードと、
株券情報が表示された株券カードと、
売り情報が表示された売カードと、
買い情報が表示された買カードと、
ゲーム終了時の目標情報が表示されたミッションカードと、
株価変動情報が表示された株価変動カードと、
金額情報が表示された札カード
とを有することを特徴とするボードゲーム具。
【請求項２】
売値情報および買値情報が表示されたボードと、
株券情報が表示された株券カードと、
売り情報が表示された売カードと、
買い情報が表示された買カードと、
ゲーム終了時の目標情報が表示されたミッションカードと、
株価変動情報が表示された株価変動カードと、
金額情報が表示された札カードと、
ゲーム参加者の資産の変動を表示した資産変動カード
とを有することを特徴とするボードゲーム具。
【請求項３】
複数種の株券カードと、各々の株券カードに応じて複数種の売カードおよび買カードと、複数種のミッションカードと、複数種の株価変動カードとを有する
ことを特徴とする請求項１又は請求項２のボードゲーム具。
【請求項４】
ボードは矩形状のものであって、該矩形状ボードには略対角線状の境界が表示され、該境界を挟んで一方の側には売値情報が表示されると共に他方の側には買値情報が表示されてなる
ことを特徴とする請求項１又は請求項２のボードゲーム具。
【請求項５】
一枚のカードの一面側に売り情報が表示されると共に他面側に買い情報が表示されてなり、売カードと買カードとが一枚のカードで兼用されてなる
ことを特徴とする請求項１〜請求項３いずれかのボードゲーム具。
【発明の詳細な説明】
【技術分野】
【０００１】
本発明はボードゲーム具に関する。特に、株式売買の勉強に役立つ知的なボードゲーム具に関する。
【背景技術】
【０００２】
従来より、各種のボードゲームが提案されている。例えば、将棋、碁、オセロなどのボードゲームが周知である。その他にも人生ゲーム的なボードゲームも数多く提案されている。又、例えば多数の多角形単位区画を並べ合わせた形で、ゲーム盤として用いられるボードゲーム用具であって、前記多角形単位区画の少なくとも２以上を一体化したパーツを、他のパーツまたは多角形単位区画と組み合わせることで、ゲーム盤全体としての形状をなすことを特徴とするボードゲーム用具が提案（特開２００３−１０２８９７号公報）されている。又、例えば夫々識別可能な複数のパラメータを有し該パラメータのうち互いに異なるパラメータが同時に表れるように構成された駒と、該駒を置くためのマスが碁盤目状に形成されたボードとを備えたことを特徴とするボードゲーム用具が提案（特開２００６−５４７号公報）されている。
【特許文献１】特開２００３−１０２８９７号公報
【特許文献２】特開２００６−５４７号公報
【特許文献３】特開２００７−３７９３５号公報
【発明の開示】
【発明が解決しようとする課題】
【０００３】
ところで、近年、株式に関する啓蒙・教育が非常に行なわれており、株式売買による資産向上についても意欲が高くなっている。
【０００４】
しかしながら、株式売買による資産形成は中々難しく、失敗例も認められる。失敗の原因としては幾つかが代表的なものとして挙げられるであろうが、やはり、売買の経験が少なく、書籍で仕入れた知識が頭だけの世界に留まっており、実践には役立っていないからであろうと思われる。
【０００５】
従って、本発明が解決しようとする課題は、株式売買に役立つであろう知恵の習得に効果的なボードゲーム具を提供することである。
【課題を解決するための手段】
【０００６】
前記の課題は、売値情報および買値情報が表示されたボードと、
株券情報が表示された株券カードと、
売り情報が表示された売カードと、
買い情報が表示された買カードと、
ゲーム終了時の目標情報が表示されたミッションカードと、
株価変動情報が表示された株価変動カードと、
金額情報が表示された札カード
とを有することを特徴とするボードゲーム具によって解決される。
【０００７】
又、売値情報および買値情報が表示されたボードと、
株券情報が表示された株券カードと、
売り情報が表示された売カードと、
買い情報が表示された買カードと、
ゲーム終了時の目標情報が表示されたミッションカードと、
株価変動情報が表示された株価変動カードと、
金額情報が表示された札カードと、
ゲーム参加者の資産の変動を表示した資産変動カード
とを有することを特徴とするボードゲーム具によって解決される。
【０００８】
又、上記のボードゲーム具であって、複数種の株券カードと、各々の株券カードに応じて複数種の売カードおよび買カードと、複数種のミッションカードと、複数種の株価変動カードとを有することを特徴とするボードゲーム具によって解決される。
【０００９】
又、上記のボードゲーム具であって、ボードは矩形状のものであって、該矩形状ボードには略対角線状の境界が表示され、該境界を挟んで一方の側には売値情報が表示されると共に他方の側には買値情報が表示されてなることを特徴とするボードゲーム具によって解決される。
【００１０】
又、上記のボードゲーム具であって、一枚のカードの一面側に売り情報が表示されると共に他面側に買い情報が表示されてなり、売カードと買カードとが一枚のカードで兼用されてなることを特徴とするボードゲーム具によって解決される。
【発明の効果】
【００１１】
上記のように構成させたボードゲーム具は、単なる株式売買と言うものとは異なり、ミッションカードに表示されたゲーム終了時の目標に向かって株式売買を進めなければならない。すなわち、単に、資産を多く形成すれば良いと言うのでは無く、どれだけ目標値に近いかと言うことで優劣が競われるゲームなので、頭脳プレイが要求され、株式売買の実践に役立つと考えられる。
【００１２】
そして、頭脳プレイであるから、ボケ防止にも役立つと思われる。
【００１３】
又、カードの枚数が少なくても、その変化内容は非常に複雑・豊富なものであり、飽きられ難い。
【００１４】
更には、複数の者が対面して行なうゲームであることから、コミュニケーションの増進にも役立つ。
【発明を実施するための最良の形態】
【００１５】
本発明のボードゲーム具は、売値情報および買値情報が表示されたボードを有する。又、株券情報が表示された株券カードを有する。又、売り情報が表示された売カードを有する。又、買い情報が表示された買カードを有する。又、ゲーム終了時の目標情報が表示されたミッションカードを有する。又、株価変動情報が表示された株価変動カードを有する。又、金額情報が表示された札カードを有する。又、好ましくは、ゲーム参加者の資産の変動を表示した資産変動カードを更に有する。又、好ましくは、株券カードは複数種ある。売カードや買カードも、各々の株券カードに応じて複数種ある。又、ミッションカードも複数種ある。又、株価変動カードも複数種ある。そして、一枚のカードの一面側に売り情報が表示されると共に他面側に買い情報が表示され、好ましくは、売カードと買カードとが一枚のカードで兼用されてなる。又、好ましくは、ボードは矩形状のものであって、該矩形状ボードには略対角線状の境界が表示され、該境界を挟んで一方の側には売値情報が表示されると共に他方の側には買値情報が表示されてなる。
【００１６】
以下、図面を基にして本発明を更に詳しく説明する。
図１〜図１８は本発明のボードゲーム具の一実施形態を示すもので、図１はボードの平面図、図２〜図４は株券カードの平面図、図５〜図７は売カードの平面図、図８〜図１０は買カードの平面図、図１１及び図１２はミッションカードの平面図、図１３及び図１４は株価変動カードの平面図、図１５は札カードの平面図、図１６及び図１７は資産変動カードの平面図、図１８はゲーム中の説明図である。
【００１７】
各図中、１は、例えば長方形のボードである。このボード１の表面には、略階段状対角線の境界が示されている。そして、前記略階段状対角線（境界線）を挟んで一方の側には売値情報が表示されると共に他方の側には買値情報が表示されている。例えば、下側には、売値、例えば「成り行き」「１０００円（図中、円は省略：以下同様）」「２０００」「３０００」「４０００」「５０００」「６０００」「７０００」「８０００」「９０００」「１００００」及び「成り行き」の情報が表示されている。そして、上側には、買値、例えば「成り行き」「１０００円（図中、円は省略：以下同様）」「２０００」「３０００」「４０００」「５０００」「６０００」「７０００」「８０００」「９０００」「１００００」及び「成り行き」の情報が表示されている。
【００１８】
株券情報が表示された株券カードが、図２〜図４に示される。図２に示される株券カードは、Ａ株式会社の株券を示すもので、例えば１０００株券と表示されている。図３に示される株券カードは、Ｂ株式会社の株券を示すもので、例えば１０００株券と表示されている。図４に示される株券カードは、Ｃ株式会社の株券を示すもので、例えば１０００株券と表示されている。尚、本実施形態では、Ａ社、Ｂ社、Ｃ社の三社の株券カードしか示されていないが、これは、もっと多くの会社の株券カードが有っても差し支え無い。又、１０００株券のみしか示されてないが、１００株券、１株件と言った如く、これについても多くの種類の株券カードが有っても良い。又、枚数は、各々、一枚のみでも良いが、複数枚用意されている。例えば、図２に示される株券カードＡは２０枚、図３に示される株券カードＢは２０枚、図４に示される株券カードＣは２０枚有る。
【００１９】
売り情報が表示された売カードが、図５〜図７に示される。図５に示される売カードは、Ａ社の株を１０００株売ると言う情報が表示されたものである。図６に示される売カードは、Ｂ社の株を１０００株売ると言う情報が表示されたものである。図７に示される売カードは、Ｃ社の株を１０００株売ると言う情報が表示されたものである。これについても、１０００株売りと言うだけでは無く、株券の種類に応じた種類の売カードがあって良いことは勿論である。尚、本実施形態では、図５に示される売カードが一つの色で５枚、図６に示される売カードが一つの色で５枚、図７に示される売カードが一つの色で５枚有り、そして色が異なった５色（例えば、赤・青・黄・黒・白）の前記売カードが各々５枚ずつ有る。従って、売カードは、合計、３×５×５＝７５枚有る。
【００２０】
買い情報が表示された買カードが、図８〜図１０に示される。図８に示される買カードは、Ａ社の株を１０００株買うと言う情報が表示されたものである。図９に示される買カードは、Ｂ社の株を１０００株買うと言う情報が表示されたものである。図１０に示される買カードは、Ｃ社の株を１０００株買うと言う情報が表示されたものである。これについても、１０００株買いと言うだけでは無く、株券の種類に応じた種類の買カードがあって良いことは勿論である。尚、本実施形態では、図８に示される売カードが一つの色で５枚、図９に示される売カードが一つの色で５枚、図１０に示される売カードが一つの色で５枚有り、そして色が異なった５色（例えば、赤・青・黄・黒・白）の前記売カードが各々５枚ずつ有る。従って、売カードは、合計、３×５×５＝７５枚有る。
【００２１】
尚、上記売カードと買カードとは、一枚のカードの裏表である。すなわち、図５に示される売カードの裏面側が図８の買カードであり、図６に示される売カードの裏面側が図９の買カードであり、図７に示される売カードの裏面側が図１０の買カードである。従って、本実施形態の売カードと買カードとは、一枚のカードであるから、売買カードであると言っても差し支え無い。
【００２２】
ゲーム終了時の目標情報が表示されたミッションカードが、図１１，１２に示される。図１１のミッシヨンカードには、ゲーム終了時におけるゲーム参加者Ｘの現金は１０００万円以上、かつ、Ａ社株を３０００株以上所有している旨の目標情報が表示されている。図１２のミッシヨンカードには、ゲーム終了時におけるゲーム参加者Ｙの現金は５００万円以上、かつ、Ａ社株を２０００株以上、Ｂ社株を２０００株以上、Ｃ社株を２０００株以上所有している旨の目標情報が表示されている。勿論、この種の内容は、適宜、決められたもので良い。尚、このミッションカードは二種類しか示されていないが、これについても、もっと多く有って良いことは勿論である。すなわち、ゲーム参加者の数は必要である。又、ゲーム参加者の数より多くても一向に差し支えないことである。従って、通常は、このミッションカードは１０〜３０種類程度用意されている。尚、本実施形態では、内容が異なった２０種類のミッションカードが一枚ずつ有る。
【００２３】
株価変動情報が表示された株価変動カードが、図１３，１４に示される。図１３の株価変動カードには、鳥インフルエンザが蔓延した為、Ａ社株は変化なしであるが、Ｂ社株は２ポイントのダウン、Ｃ社株は１ポイントのダウンが表示されている。図１４の株価変動カードには、アジア域内の関税撤廃の為、Ａ社株は２ポイントのアップであるが、Ｂ社株は変化なし、Ｃ社株は２ポイントのアップが表示されている。これについても、もっと多く有って良いことは勿論である。すなわち、通常は、この株価変動カードも１０〜３０種類程度用意されている。尚、本実施形態では、内容が異なった３０種類の株価変動カードが一枚ずつ有る。
【００２４】
図１５には、金額情報が表示された札カードが示される。この札カードは複数種有っても良いが、これは、一種類でも十分である。本実施形態では、壱百万円と表示された札カードが一種類のみである。勿論、枚数は数多く用意されている。尚、本実施形態では３００枚有る。
【００２５】
ゲーム参加者の資産の変動を表示した資産変動カードが図１６，１７に示される。図１６の資産変動カードには、遺産相続によって、株券Ａ社、Ｂ社、Ｃ社それぞれ１０００株を相続の旨が表示されている。図１７の資産変動カードには、盗難によって、手持ちの株券が全て盗まれる旨が表示されている。尚、本実施形態では、内容が異なった３０種類の資産変動カードが一枚ずつ有る。
【００２６】
ボード及び各カードを上記の如くに構成させたボードゲーム具の遊び方を説明する。
例えば、二人〜五人程度のプレイヤとゲーム進行係である一人のディーラとによってゲームが行われる。
【００２７】
株の買い方は次の通りである。株を買うには、「予約注文」と「その場注文」とが有る。又、例えば、予め、次の取引で買う価格を決めて、ボード上に自分が希望する価格帯に自分の買カードを置いておくことも出来る。ボード上で値段が付いていなくても、予め、自分の買いたい値段の所に買カードを置くことも出来る（指値買い）。例えば、Ａ株が４０００円とし、その時、３０００円で買いたいと思えば、３０００円の所に自分の買カードを置く。ここで、株価変動カードが引かれ、その時の条件によって株価が２ポイント下がり、２０００円になったとすると、３０００円で買いを入れているから、２０００円で買うことが出来る。尚、事前に注文をしていない場合でも、当回に買うことが出来る。買いの順序は、（１）予約「指値」で「買い」を入れていた人、（２）予約「指値」の注文が入ってなければ、「買い」を先に入れた人、（３）但し、ボード上に欲しい株数より以上の買いが入る場合には、ジャンケンで優先順位を付けると言ったルールである。複数のプレーヤが株を買いたい状況の時は全て現金取引である。そして、買い注文の高いプレーヤから売買が成立して行く。
【００２８】
株の売り方は次の通りである。株を売るには、「予約注文」と「その場注文」とが有る。又、例えば、予め、次の取引で売る価格を決めて、ボード上に自分が希望する価格帯に売カードを置いておくことも出来る（指値売り）。ボード上で値段が付いていなくても、予め、自分の売りたい値段の所に売カードを置くことも出来る。例えば、Ａ株が６０００円であるとし、その時、７０００円で売りたいと思えば、７０００円の所に自分の売カードを置く。ここで、株価変動カードが引かれ、その時の条件によって株価が２ポイント上がり、８０００円になったとすると、７０００円で売りを入れているから、８０００円で売ることが出来る。尚、事前に注文をしていない場合でも、当回に売ることが出来る。但し、自分が持っている株しか売ることは出来ない。そして、低い値段の売り注文をしたプレーヤから売買が成立して行く。
【００２９】
尚、或る会社の株券が全て買われ、市場（ボード上）にもデイーラも持たなくなった場合、株価は１ランク上昇する（気配値）。気配値が上がっても、株価変動カードがオープンになり、価格が変動するまでは売却は出来ない。
【００３０】
現実の株式売買ルールに則った上記ルールに従ってゲームが行われるのであるが、その準備段階を説明する。
デイーラは、各プレーヤに１００万円札を、例えば２０枚ずつ配る。又、５色の売買カードの中から自分の好みの色の売買カードがプレーヤによって指定されると、ディーラは指定色の売買カードを５枚ずつ配る。又、ディーラは、ボード上にＡ株、Ｂ株、Ｃ株の株券を３枚ずつ中心値段（５０００円）の価格帯に置く。勿論、ディーラが選定した価格帯に置いても良い。例えば、Ａ株３枚を５０００円、Ｂ株３枚を６０００円、Ｃ株３枚を４０００円の株価の所に置いても良い。或いは、Ａ株３枚およびＢ株３枚を５０００円、Ｃ株３枚を４０００円の株価の所に置いても良い。
【００３１】
上記の準備が完了すると、ゲームが開始される。
各プレーヤは、一枚ずつ、ミッションカードを引く。そして、その内容を記憶する。尚、その内容は自分だけが知っており、他のプレーヤには秘密である。
【００３２】
さて、次に、第１回目の取引が開始される。この回では、プレーヤは株券を持っていないので、買い注文のみである。この後、ディーラは売買処理を行う。買い注文がなければ、次回の取引の予約注文を受ける。予約するプレーヤは、自分の買カードをボード上の希望する価格帯に置く。予約注文が確定したプレーヤは「ｂｕｒｓａ」と言って終了を宣言する。ディーラは全てのプレーヤの「ｂｕｒｓａ」を確認して当回の取引を終了する。
【００３３】
この後、プレーヤの一人が株価変動カードを引く。そして、この株価変動カードの内容に従って株価がボード上で変動（株券が移動）する。
尚、プレーヤは取引終了を意味する「ｂｕｒｓａ」の声が有るまで何回でも売買カードを移動させることが出来る。
【００３４】
売買が成立したら、買いのプレーヤは現金をディーラに払い、株券を受け取る。売りのプレーヤは株券を場に出し、ディーラから現金を受け取る。買われた株券の枚数をディーラはボード上に差し出して追加し、最低でも、３枚は置かれているようにする。尚、第２回目の取引からは、株券を持っているプレーヤは売り注文も出来る。
【００３５】
上記のようにして数回の取引が進行して行く。そして、例えば５回の取引が終わると、各プレーヤは一枚ずつ資産変動カードを引く。そして、そのカードに記載の内容に則った決済が行われる。尚、遺産相続で株券Ａ，Ｂ，Ｃを１０００株ずつ貰えると言った時に、当該株券が無い場合には、その時点の株価に相当する現金を受け取ることが出来る。又、ディーラや他のプレーヤから現金を借りることは出来ない。現金が無い場合には、手持ちの株券を売って現金を調達する。そして、対応できない場合には、破産と言うことで、ゲームから退場になる。すなわち、株の売買やお金の支払いは、特別の指示が無い限り、直ちに行われなければならない。
【００３６】
資産変動カードを引いた後、再度、上記したのと同じ取引が開始される。又、数回の取引の後、再度、資産変動カードが引かれ、上記したのと同様に行われる。そして、このようなステップが所定回数行われ、ゲームが終了する。
【００３７】
尚、図１８はゲーム中におけるボード上に置かれたカードである。この図１８では、株券Ａは６０００円の値が付いて市場（ボード上）に置かれており、株券Ｂは５０００円の値が付いて市場（ボード上）に置かれており、そして株券Ａに対して４０００円で買い注文が入っている状況を示すものである。
【００３８】
ここで、ゲームの勝者について説明する。
先ず、プレーヤは、ミッションカードの内容を満たしているか否かをチェックする。満たされていないプレーヤは、幾ら資産（財産）合計が多くても、満たしたプレーヤより劣る。満たしたプレーヤ同士の間では資産（財産）合計が多いプレーヤが勝者となる。財産合計は、株式については時価評価で計算する。すなわち、持っている株の最終株価を調べ、これに株数を掛けて算出する。この株の時価評価額と現金との総和が資産（財産）額である。従って、これが多い者が勝者となる。尚、ミッションカードの内容を満たしている者がいなければ、全員、失格としても良く、或いは持っている資産（財産）合計額の順にしても良い。
【図面の簡単な説明】
【００３９】
【図１】本発明になるボードの平面図
【図２】本発明になる株券カードの平面図
【図３】本発明になる株券カードの平面図
【図４】本発明になる株券カードの平面図
【図５】本発明になる売カードの平面図
【図６】本発明になる売カードの平面図
【図７】本発明になる売カードの平面図
【図８】本発明になる買カードの平面図
【図９】本発明になる買カードの平面図
【図１０】本発明になる買カードの平面図
【図１１】本発明になるミッションカードの平面図
【図１２】本発明になるミッションカードの平面図
【図１３】本発明になる株価変動カードの平面図
【図１４】本発明になる株価変動カードの平面図
【図１５】本発明になる札カードの平面図
【図１６】本発明になる資産変動カードの平面図
【図１７】本発明になる資産変動カードの平面図
【図１８】ゲーム中の説明図                                    代理人    宇  高  克  己
【図１】
2008259572.tif 000003
【図２】
2008259572.tif 000004
【図３】
2008259572.tif 000005
【図４】
2008259572.tif 000006
【図５】
2008259572.tif 000007
【図６】
2008259572.tif 000008
【図７】
2008259572.tif 000009
【図８】
2008259572.tif 000010
【図９】
2008259572.tif 000011
【図１０】
2008259572.tif 000012
【図１１】
2008259572.tif 000013
【図１２】
2008259572.tif 000014
【図１３】
2008259572.tif 000015
【図１４】
2008259572.tif 000016
【図１５】
2008259572.tif 000017
【図１６】
2008259572.tif 000018
【図１７】
2008259572.tif 000019
【図１８】
2008259572.tif 000020